(57)【要約】【課題】印刷物の製造ルートを特定することができる印刷物製造装置、印刷物検証装置を提供する。【解決手段】印刷物の券面に印刷するための券面データに印刷物製造装置を識別するための識別情報を電子透かし情報として付加して印刷物発行データを生成する識別情報付加部と、識別情報付加部によって生成される印刷物発行データに基づいて、印刷物の券面に印刷をする印刷部と、を有する。【選択図】  図１
2004195944.tif 000002
【特許請求の範囲】
【請求項１】
印刷物を製造する印刷物製造装置において、
前記印刷物の券面に前記印刷物製造装置を識別するための識別情報を印刷する印刷部を有することを特徴とする印刷物製造装置。
【請求項２】
印刷物を製造する印刷物製造装置であって、
前記印刷物の券面に印刷するための券面データに前記印刷物製造装置を識別するための識別情報を電子透かし情報として付加して印刷物発行データを生成する識別情報付加部と、
前記識別情報付加部によって生成される印刷物発行データに基づいて、前記印刷物の券面に印刷をする印刷部と、
を有することを特徴とする印刷物製造装置。
【請求項３】
前記識別情報付加部は、前記印刷部によって印刷される時刻に応じた情報である時刻情報と前記印刷部によって印刷を行うロット番号を示すロット情報とのうちいずれか一方、あるいは、前記時刻情報と前記ロット情報との両方を前記識別情報とともに電子透かし情報として前記券面データに付加して印刷データを生成することを特徴とする請求項２記載の印刷物製造装置。
【請求項４】
印刷物の券面を読み取って画像データを生成する券面読み取り部と、
前記券面読み取り部によって生成される画像データから前記印刷物を製造した印刷物製造装置を識別するための識別情報を抽出する抽出部と、
検出すべき対象となる印刷物製造装置の識別情報を記憶する識別情報記憶部と、
前記抽出部によって抽出された識別情報と前記識別情報記憶部に記憶された識別情報とを比較して検出すべき対象の印刷物であるか否かを検証する検証部と、
を有することを特徴とする印刷物検証装置。
【請求項５】
前記抽出部は、画像データに電子透かし情報として含まれている識別情報を抽出することを特徴とする請求項４記載の印刷物検証装置。
【請求項６】
印刷物を製造する印刷物製造方法であって、
前記印刷物の券面に印刷するための券面データに前記印刷物製造装置を識別するための識別情報を電子透かしとして付加して印刷物発行データを生成し、
生成された印刷物発行データに基づいて、前記印刷物の券面に印刷をする
ことを特徴とする印刷物製造方法。
【請求項７】
印刷物の券面を読み取って画像データを生成し、
生成された画像データから前記印刷物を製造した印刷物製造装置を識別するための識別情報を抽出し、
検出すべき対象となる印刷物製造装置の識別情報を記憶する識別情報記憶部を参照し前記抽出された識別情報と前記識別情報記憶部に記憶された識別情報とを比較し、
比較結果に基づいて検出すべき対象の印刷物であるか否かを検知する
ことを特徴とする印刷物検証方法。
【請求項８】
印刷物を製造する印刷物製造プログラムであって、
前記印刷物の券面に印刷するための券面データに前記印刷物製造装置を識別するための識別情報を電子透かしとして付加して印刷物発行データを生成するステップと、
生成された印刷物発行データに基づいて、前記印刷物の券面に印刷をするステップと、
をコンピュータに実行させることを特徴とする印刷物製造プログラム。
【請求項９】
印刷物の券面を読み取って画像データを生成するステップと、
生成された画像データから前記印刷物を製造した印刷物製造装置を識別するための識別情報を抽出するステップと、
検出すべき対象となる印刷物製造装置の識別情報を記憶する識別情報記憶部を参照し前記抽出された識別情報と前記識別情報記憶部に記憶された識別情報とを比較するステップと、
比較結果に基づいて検出すべき対象の印刷物であるか否かを検知するステップと、
をコンピュータに実行させることを特徴とする印刷物検証プログラム。
【発明の詳細な説明】
【０００１】
【発明の属する技術分野】
この発明は、印刷物の製造ルートを特定する印刷物製造装置、印刷物検証装置、印刷物製造方法、印刷物検証方法、印刷物製造プログラム、印刷物検証プログラムに関するものである。
【０００２】
【従来の技術】
従来から、ＩＣカードや磁気カードなどのカード、パスポート、免許証など（以下、「印刷物」と称す）が印刷物製造装置によって印刷され、発行されている。このような印刷物が悪意ある第３者に不正に利用されたことが発見された場合、その印刷物の利用が停止される。これにより、印刷物の不正利用による被害が低減される。
一方、不正利用以外において、特にＩＣカードや磁気カードについては、何らかの原因によってデータを正常に読み書きできない、あるいは、破損等の不具合が発生することによって、印刷物を正常に利用できなくなる場合がある。この場合は、印刷物の利用を停止して再発行する等の対応によって不具合を解消することが可能である。
【０００３】
ところで、従来の印刷物製造装置において、顔写真及び文字情報等がプリントされた印刷物（磁気カード及びＩＣカード等）を作成する場合、印刷面の印刷内容（顔写真および文字情報等）と印刷物の記憶媒体（磁気テープやＩＣチップ等）に記憶される情報（個人情報等）とを正しく対応付けて製造する技術がある（例えば、特許文献１参照）。
【０００４】
【特許文献１】
特開２００１−２１６４７６号公報
【０００５】
【発明が解決しようとする課題】
しかしながら、上述した印刷物の不正利用を防止する方法においては、例えば、印刷物製造装置そのものを何らかの方法によって、第３者が入手してしまうと、その印刷物製造装置を利用し、不正な印刷物が順次に発行されてしまう可能性がある。従って、不正に発行された印刷物の製造ルートを特定し、同じ製造ルートにおいて製造された印刷物について、予め利用を停止させることが望ましい。また、印刷物に不具合が生じた場合、同じ印刷物製造装置によって製造された他の印刷物についても、同じ不具合が発生する可能性もあるので、印刷物の製造ルートを特定することが望まれる。
【０００６】
また、上述の特許文献１における従来技術においては、印刷内容と記録媒体に記憶される情報との相互関係が正しい印刷物を製造することが可能であるが、製造された印刷物そのものを検証しても、どの印刷装置によって製造されたかを特定することができなかったため、印刷物の偽造や不具合が発生した場合に、製造ルートを特定することはできなかった。
【０００７】
本発明は、このような事情に鑑みてなされたもので、その目的は、印刷物の製造ルートを特定することができる印刷物製造装置、印刷物検証装置、印刷物製造方法、印刷物検証方法、印刷物製造プログラム、印刷物検証プログラムを提供することにある。
【０００８】
【課題を解決するための手段】
上記目的を達成するために、本発明は、印刷物を製造する印刷物製造装置において、前記印刷物の券面に前記印刷物製造装置を識別するための識別情報を印刷する印刷部を有することを特徴とする。
また、本発明は、印刷物を製造する印刷物製造装置であって、前記印刷物の券面に印刷するための券面データに前記印刷物製造装置を識別するための識別情報を電子透かし情報として付加して印刷物発行データを生成する識別情報付加部と、前記識別情報付加部によって生成される印刷物発行データに基づいて、前記印刷物の券面に印刷をする印刷部と、を有することを特徴とする。
【０００９】
また、本発明は、上述の印刷物製造装置において、前記識別情報付加部は、前記印刷部によって印刷される時刻に応じた情報である時刻情報と前記印刷部によって印刷を行うロット番号を示すロット情報とのうちいずれか一方、あるいは、前記時刻情報と前記ロット情報との両方を前記識別情報とともに電子透かし情報として前記券面データに付加して印刷データを生成することを特徴とする。
【００１０】
また、本発明は、印刷物の券面を読み取って画像データを生成する券面読み取り部と、前記券面読み取り部によって生成される画像データから前記印刷物を製造した印刷物製造装置を識別するための識別情報を抽出する抽出部と、検出すべき対象となる印刷物製造装置の識別情報を記憶する識別情報記憶部と、前記抽出部によって抽出された識別情報と前記識別情報記憶部に記憶された識別情報とを比較して検出すべき対象の印刷物であるか否かを検証する検証部と、を有することを特徴とする。
【００１１】
また、本発明は、上述の印刷物検証装置において、前記抽出部は、画像データに電子透かし情報として含まれている識別情報を抽出することを特徴とする。
【００１２】
また、本発明は、印刷物を製造する印刷物製造方法であって、前記印刷物の券面に印刷するための券面データに前記印刷物製造装置を識別するための識別情報を電子透かしとして付加して印刷物発行データを生成し、生成された印刷物発行データに基づいて、前記印刷物の券面に印刷をすることを特徴とする。
【００１３】
また、本発明は、印刷物の券面を読み取って画像データを生成し、生成された画像データから前記印刷物を製造した印刷物製造装置を識別するための識別情報を抽出し、検出すべき対象となる印刷物製造装置の識別情報を記憶する識別情報記憶部を参照し前記抽出された識別情報と前記識別情報記憶部に記憶された識別情報とを比較し、比較結果に基づいて検出すべき対象の印刷物であるか否かを検知することを特徴とする。
【００１４】
また、本発明は、印刷物を製造する印刷物製造プログラムであって、前記印刷物の券面に印刷するための券面データに前記印刷物製造装置を識別するための識別情報を電子透かしとして付加して印刷物発行データを生成するステップと、生成された印刷物発行データに基づいて、前記印刷物の券面に印刷をするステップと、をコンピュータに実行させることを特徴とする。
【００１５】
また、本発明は、印刷物の券面を読み取って画像データを生成するステップと、生成された画像データから前記印刷物を製造した印刷物製造装置を識別するための識別情報を抽出するステップと、検出すべき対象となる印刷物製造装置の識別情報を記憶する識別情報記憶部を参照し前記抽出された識別情報と前記識別情報記憶部に記憶された識別情報とを比較するステップと、比較結果に基づいて検出すべき対象の印刷物であるか否かを検知するステップと、をコンピュータに実行させることを特徴とする。
【００１６】
【発明の実施の形態】
以下、本発明の一実施形態による印刷物製造装置、印刷物検証装置を図面を参照して説明する。図１は、この発明の一実施形態による印刷物製造装置１の構成を示す概略ブロック図である。この印刷物製造装置とは、例えば、印刷物を製造するためのプリンタである。
この図において、券面データ記憶部１１は、印刷物の券面に印刷するための券面データを記憶する。ここでいう‘印刷物’とは、印刷用紙に文字や記号、画像等が印刷されたものであり、例えば、カード、パスポート、免許証などの偽造等によって損害が発生する可能性がある印刷物である。‘券面データ’には、この印刷物を印刷するための文字データ、フォントデータ、券面の背景や券面に印刷される写真や柄となる画像データ、印刷位置を指定するデータなどが含まれる。また、この実施形態においては、印刷物がカードである場合について説明する。このカードとしては、例えば、接触型または非接触型のＩＣカード、接触型と非接触型との両方の機能を有するＩＣカード、磁気カード等がある。
券面データ記憶部１１の券面データは、外部の端末から送信される券面データを受信して記憶されたり、ディスク等の記録媒体に記憶された券面データが読み出され記憶される。
【００１７】
印刷指示入力部１２は、券面データ記憶部１１に記憶された券面データを利用して印刷するための印刷指示を入力する。
時刻情報生成部１３は、印刷指示入力部１２から入力される印刷指示がなされた時刻を検出し、検出した時刻を時刻情報として識別情報付加部１６に出力する。この時刻情報としては、‘○時×分’の現在時刻の他に、「２０××年△月△日○時×分」のように、年月日を含めることが可能である。
【００１８】
ロット情報生成部１４は、印刷指示入力部１２から印刷指示が入力された場合に、印刷するロット番号をロット情報として生成し、識別情報付加部１６に出力する。
識別情報記憶部１５は、印刷物製造装置を識別するための識別情報に予め記憶する。以下、識別情報を‘プリンタＩＤ’称す。
【００１９】
識別情報付加部１６は、印刷物製造装置１を識別するための識別情報を券面データに電子透かし技術を用いて付加して印刷物発行データを生成する。この電子透かし技術は、券面の文字や背景、顔写真など、券面に印刷されるデータであればどのデータに対して識別情報等を埋め込むようにしてもよい。なお、電子透かし技術を用いて埋め込まれた情報を、仮に電子透かし情報というものとする。
また、識別情報付加部１６は、印刷部によって印刷指示された時刻に応じた時刻情報と印刷部１７によって印刷を行うロット番号を示すロット情報とのうちいずれか一方、あるいは、時刻情報とロット情報との両方を識別情報とともに電子透かし技術を用いて券面データに付加して印刷物発行データを生成する。この場合における印刷部１７によって印刷された時刻に応じた時刻情報とは、印刷指示入力部１２から入力される印刷指示がなされた時刻が検出され、検出された時刻に基づいて時刻情報生成部１３によって生成された時刻情報に相当し、ロット情報は、ロット情報生成部１４によって生成されたロット情報に相当する。
印刷部１７は、識別情報付加部１６によって生成される印刷物発行データに基づいて、印刷物の券面に印刷を行う。
【００２０】
次に、印刷物検証装置２について説明する。図２は、この発明の一実施形態による印刷物検証装置２の構成を示す概略ブロック図である。
この図において、券面読み取り部２１は、カードの券面を読み取って画像データを生成する。この券面読み取り部２１としては、例えば、スキャナやデジタルカメラなどを適用することが可能である。
抽出部２２は、券面読み取り部２１によって生成される画像データからカードを製造した印刷物製造装置１を識別するためのプリンタＩＤを抽出する。また、抽出部２２は、プリンタＩＤが画像データに電子透かし技術により、電子透かし情報として含まれている場合、この電子透かし情報を解析してプリンタＩＤを抽出する。
【００２１】
入力部２３は、例えば、キーボードやマウスなどの入力装置であり、検出すべき対象となる印刷物製造装置のプリンタＩＤを入力する。ここでいう検出すべき対象となる印刷物製造装置とは、不正に印刷物を印刷している可能性がある印刷物製造装置や、不具合が生じる可能性がある印刷物を印刷している可能性がある印刷物製造装置のことである。
【００２２】
識別情報記憶部２４は、検出すべき対象となる印刷物製造装置の識別情報（プリンタＩＤ）を入力部２３からの指示に基づいて記憶する。
検証部２５は、抽出部２２によって抽出されたプリンタＩＤと識別情報記憶部２４に記憶された識別情報（プリンタＩＤ）とを比較して、検出すべき対象の印刷物であるか否かを検証して検証結果を検証結果出力部２６に提供する。
納入先データベース２７は、印刷物製造装置１の納入先の業者名など、印刷物製造装置１の納入先の業者に関する情報と納入した印刷物製造装置１のプリンタＩＤとを対応付けて記憶する。
検証結果出力部２６は、ＣＲＴ（Ｃａｔｈｏｄｅ  Ｒａｙ  Ｔｕｂｅ）や液晶表示装置などの表示装置やスピーカなどの音声出力装置であり、検証部２５の検証結果を出力する。また、検証結果出力部２６は、検証部２５の検証結果に基づいて、印刷物が検出すべき対象の印刷物であった場合に、印刷物に印刷されたプリンタＩＤに対応する業者に関する情報を納入先データベース２６から読み出して出力する。
【００２３】
次に、図１を利用して印刷物を製造する動作について図３の流れ図を用いて説明する。
まず、券面データが券面データ記憶部１１に記憶され、カード３が印刷物製造装置１に投入された後、印刷指示入力部１２から印刷指示が入力されると、印刷物製造装置１は、時刻情報生成部１３によって時刻情報を生成して識別情報付加部１６に出力するとともに、ロット情報を生成して識別情報付加部１６に出力する。識別情報付加部１６は、識別情報記憶部１５からプリンタＩＤを読み出し（ステップＳ１）、読み出したプリンタＩＤと、時刻情報と、ロット情報とに基づいて、電子透かし情報を生成する。そして、券面データ記憶部１１から券面データを読み出し、読み出した券面データに対し、生成した電子透かし情報を電子透かし技術を用いて付加して印刷物発行データを生成し（ステップＳ２）、印刷部１７に出力する。印刷部１７は、識別情報付加部１６から出力される印刷物発行データに基づいて、カード３の券面に印刷をする（ステップＳ３）。
【００２４】
このようにして、プリンタＩＤ「００１」、時刻情報、ロット情報が電子透かし情報として埋め込まれたカード３が製造される。
そして、カード３は、図４に示すように、製造された印刷物製造装置１のプリンタＩＤがそれぞれ埋め込まれ、発行され、流通した後に必要に応じて検証される。
【００２５】
次に、カード３を検証する処理について図５の流れ図を用いて説明する。
まず、検証者は、印刷物検証装置２に検出すべき対象となる印刷物製造装置のプリンタＩＤを入力し、識別情報記憶部２４に記憶させる。次いで、検証者は、検証する対象のカード３を印刷物検証装置２に挿入する。カード３が挿入されると、スキャナ等の券面読み取り部２１は、カード３の券面を読み取り、画像データを生成し（ステップＳ１１）、抽出部２２に出力する。抽出部２２は、画像データに電子透かし技術を用いて埋め込まれている電子透かし情報、つまりプリンタＩＤ、時刻情報、ロット情報を抽出し（ステップＳ１２）、抽出したプリンタＩＤ、時刻情報、ロット情報を検証部２５に出力する。
【００２６】
検証部２５は、抽出部２２から出力されたプリンタＩＤと識別情報記憶部２４に記憶されているプリンタＩＤとを比較して、検出すべき対象の印刷物であるか否かを検証する。そして、検証部２５は、検証結果とプリンタＩＤ、時刻情報、ロット情報を検証結果出力部２６に出力する。検証部２５から検証結果が出力されると、検証結果出力部２７は、抽出されたプリンタＩＤと検証結果を出力する（ステップＳ１３）。カード３から読み出されたプリンタＩＤが識別情報記憶部２４に記憶されているプリンタＩＤと一致していた場合、検証結果出力部２６は、納入先データベース２６を参照し、プリンタＩＤに一致する業者名を読み出す。そして、検証結果出力部２７は、出力装置に、「プリンタＩＤは００１です。検出対象として登録されています。納入先業者名は○○です。」などの表示を行う。ここでは、必要に応じて、時刻情報やロット番号についても出力装置に出力され、これにより、印刷物検証装置２によってカード３の検証を行った検証者は、カード３を印刷した印刷物製造装置１を特定するとともに、印刷した日時とロット番号とを特定することができ、何らかの問題がある場合は、必要に応じて対策を講じることができる（ステップＳ１５）。
【００２７】
一方、プリンタＩＤが識別情報記憶部２４に記憶されているプリンタＩＤと一致していない場合、検証結果出力部２７は、検証結果として「プリンタＩＤは００１です。特に異常はありません」等の表示を行う。
【００２８】
次に、カード３を検証する一例について図６に示す説明図を用いて説明する。印刷物製造装置１（図６における「プリンタ」に相当）を製造したメーカーは、印刷物製造装置１の業者Ａ、業者Ｂに納入するとともに（ステップＳ３１）、印刷物検証装置２の入力部２３を介して、納入した印刷物製造装置１のプリンタＩＤと納入先業者名とを入力し、納入先データベース２６に登録する（ステップＳ３２）。
【００２９】
そして、業者Ａに納入された印刷物製造装置１が何らかの原因で不正な流通ルートで業者Ｘに渡り（ステップＳ３３）、業者Ｘによって不正にカードが発行されて流通し（ステップＳ３４）、流通しているカード３に疑わしい点がある場合、この疑わしいカード３について印刷物検証装置２によって検証を行う（ステップＳ３５）。そして、印刷物検証装置２によって図５において説明した電子透かし情報の抽出処理を行い（ステップＳ３６）、読み出されたプリンタＩＤ「００１」を表示装置に表示する（ステップＳ３７）。ここでは、例えば、「このカードは、プリンタＩＤが００１のプリンタで印刷されたものである」などの表示がなされる。この表示内容に基づいて、印刷物検証装置２によってカードの検証を行った検証者は、このプリンタＩＤが「００１」であるカードについての利用を停止させる対策を講じる（ステップＳ３８）。
【００３０】
一方、印刷物検証装置２は、このプリンタＩＤ「００１」に対応する納入先業者名を納入先データベース２６から読み出して検証結果出力部２７の表示装置によって、出力する（ステップＳ３９）。ここでは、例えば、「このプリンタは、業者Ａに納入したものである」等の表示がなされる。この表示内容に基づいて、印刷物検証装置２によってカードの検証を行った検証者は、この業者Ａを手がかりに、印刷物製造装置１の流通経路を調査することが可能である（ステップＳ４０）。
【００３１】
なお、この図６ステップＳ３８のカードの利用の停止としては、例えば、印刷物検証装置２の機能を銀行やコンビニエンスストアのＡＴＭ（現金自動預け入れ払い機）に予め組み込んでおく。そして、不正が発覚したプリンタＩＤを無線や有線を利用したネットワークを介し、ＡＴＭに設けられた各印刷物検証装置２に配信し、識別情報記憶部２４に登録しておく。そして、カード３がＡＴＭに挿入された場合、このＡＴＭに設けられた印刷物検証装置２は、券面データをよみとり、電子透かし情報を抽出する処理を行い、カードから抽出されたプリンタＩＤが識別情報記憶部２４に記憶されているプリンタＩＤと一致している場合に、カードの利用によるサービスの提供を行わない。これにより、不正に発行されたカードの不正利用による被害が拡大してしまうことを防止することができる。
【００３２】
なお、以上説明した実施形態において、不正なルートで製造されたカードの利用を停止させる場合について説明したが、不具合が生じたカードに埋め込まれているプリンタＩＤを印刷物検証装置２の識別情報記憶部２４に記憶しておくことにより、他のカードにおいて、同じ印刷物製造装置１によって製造されたカードであるか否かを検出することが可能であり、これにより、不具合が生じてしまう前にカードの利用停止や回収、保全などを行うことが可能である。
【００３３】
また、以上説明した実施形態においては、カードの検証を行う場合、印刷物検証装置２に検証対象のカードを挿入する場合について説明したが、カードの所有者によってカードをデジタルカメラなどによって撮像してもらう、あるいは、スキャナで読み取ってもらい、この画像データを印刷物検証装置２に提供するようにしてもよい。
【００３４】
なお、以上説明した実施形態においては、識別情報記憶部２４に検出対象となるプリンタＩＤを記憶しておくようにしたが、入力部２３と識別情報記憶部２４とを設けることなく、単に、カード３の画像を読み取ってプリンタＩＤを抽出し、抽出結果（プリンタＩＤ）を出力するようにしてもよい。これにより、検証者によって読み出されたプリンタＩＤに応じた対応を講じることが可能である。
【００３５】
また、上述した実施形態においては、プリンタＩＤのみを識別情報記憶部２４に記憶しておくようにしたが、プリンタＩＤに更に時刻情報とロット情報とを対応付けて記憶するようにしてもよい。これにより、検証部２５における検証処理において、カードから読み出したプリンタＩＤ、時刻情報、ロット情報と、識別情報記憶部２４に記憶されたプリンタＩＤ、時刻情報、ロット情報とを比較し、各情報が一致しているか否かを検出するようにしてもよい。これにより、カードの印刷時期、ロット番号に応じて、利用を停止させるべき対象となるカードを限定することができる。
【００３６】
なお、上述した実施形態においては、プリンタＩＤを電子透かし情報として券面に印刷する場合について説明したが、券面にプリンタＩＤを文字によって印字するようにしてもよい。
【００３７】
また、図１における印刷指示入力部１２、時刻情報生成部１３、ロット情報生成部１４、識別情報付加部１６、印刷部１７の機能を実現するためのプログラム、図２における券面読み取り部２１、抽出部２２、入力部２３、識別情報記憶部２４、検証部２５、検証結果出力部２７の機能を実現するためのプログラムをコンピュータ読み取り可能な記録媒体に記録して、この記録媒体に記録されたプログラムをコンピュータシステムに読み込ませ、実行することにより印刷物製造処理、印刷物検証処理を行ってもよい。なお、ここでいう「コンピュータシステム」とは、ＯＳや周辺機器等のハードウェアを含むものとする。
【００３８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３９】
以上、この発明の実施形態を図面を参照して詳述してきたが、具体的な構成はこの実施形態に限られるものではなく、この発明の要旨を逸脱しない範囲の設計等も含まれる。
【００４０】
【発明の効果】
以上説明したように、この発明によれば、印刷物の券面に印刷物製造装置を識別するための識別情報を印刷するようにしたので、印刷物が印刷された製造ルートを特定することができ、これにより、不正なルートで製造された印刷物であるか否か、あるいは、不具合が生じた印刷物を製造した印刷物製造装置と同じ印刷物製造装置によって製造された印刷物であるか否かを把握することが可能となり、これにより、不正に発行された印刷物が不正に利用される前に、予め利用を停止させ、不正に発行されたカードの不正利用による被害が拡大してしまうことを防止することが可能であるとともに、印刷物に不具合が生じてしまう前に利用の停止、回収、保全を行うことが可能となる。
【００４１】
また、この発明によれば、券面データに印刷物製造装置を識別するための識別情報を電子透かし情報として付加して印刷物の券面に印刷をするようにしたので、印刷物の券面の面積が狭い印刷物や券面の印刷内容に制約がある印刷物についても、券面の面積にかかわらず、また券面の制約に関わらず識別情報を印刷することができ、これにより、印刷物のデザイン性（見栄え）が低下してしまうことを防止することができる。
【００４２】
また、本発明は、識別情報にさらに時刻情報やロット情報を付加して電子透かし情報を生成し、券面に印刷するようにしたので、印刷物の印刷時期、ロット番号に応じて、利用を停止させるべき対象となる印刷物を限定することができる。
【００４３】
また、本発明は、印刷物の券面を読み取って画像データを生成し、生成した画像データから印刷物を製造した印刷物製造装置を識別するための識別情報を抽出し、抽出された識別情報と識別情報記憶部に記憶された識別情報とを比較して検出すべき対象の印刷物であるか否かを検証するようにしたので、印刷物がどの印刷物製造装置によって製造されたかを把握することができ、これにより、印刷物の製造ルートを特定するのに役立たせることができる。
【図面の簡単な説明】
【図１】この発明の一実施形態による印刷物製造装置１の構成を示す概略ブロック図である。
【図２】この発明の一実施形態による印刷物検証装置２の構成を示す概略ブロック図である。
【図３】印刷物を製造する動作について説明するための流れ図である。
【図４】プリンタＩＤが印刷されたカード３が発行され流通された場合を説明する図面である。
【図５】カード３を検証する処理について説明するための流れ図である。
【図６】カード３を検証する一例について説明するための説明図である。
【符号の説明】
１  印刷物製造装置                ２  印刷物検証装置
３  カード                        １１  券面データ記憶部
１２  印刷指示入力部              １３  時刻情報生成部
１４  ロット情報生成部            １５  識別情報記憶部
１６  識別情報付加部              １７  印刷部
２１  券面読み取り部              ２２  抽出部
２３  入力部                      ２４  識別情報記憶部
２５  検証部                      ２６  納入先データベース
２７  検証結果出力部
【図１】
2004195944.tif 000003
【図２】
2004195944.tif 000004
【図３】
2004195944.tif 000005
【図４】
2004195944.tif 000006
【図５】
2004195944.tif 000007
【図６】
2004195944.tif 000008